【手続補正書】
【提出日】平成20年1月30日(2008.1.30)
【手続補正１】
【補正対象書類名】明細書
【補正対象項目名】特許請求の範囲
【補正方法】変更
【補正の内容】
【特許請求の範囲】
【請求項１】
一般式（１）または一般式（１）′
【化１】
2002226334.tif 000001
（上記一般式（１）および（１）′中、Ｒ1〜Ｒ3は、同一であっても異なっていてもよく、水素原子、炭素数１〜２０の炭化水素基またはアルコキシ基のいずれかであり、Ｒ4は、水素イオン、1価の金属イオンまたはアンモニウムであり、ｎ、ｍは１０以上の整数である。）で表される共重合物を含有することを特徴とする頭髪用酸性染毛料組成物。
【請求項２】
上記一般式（１）および一般式（１）′において、ｎが５０〜５０００、ｍが１０〜５０００の整数であることを特徴とする請求項１に記載の頭髪用酸性染毛料組成物。
【請求項３】
前記共重合物が、一般式（２）または一般式（２）′
【化２】
2002226334.tif 000002
（上記一般式（２）および（２）′中、ｎは５０〜５０００、ｍは１０〜５０００の整数であり、NH4+の一部は水素イオンに置換されていてもよい。）で表される共重合物であることを特徴とする請求項１または２に記載の頭髪用酸性染毛料組成物。
【請求項４】
上記共重合物に加えて、さらに安定剤および浸透剤を含有し、該浸透剤としてベンジルアルコールを使用する場合に、ベンジルアルコール１００重量部に対して、安定剤を１００〜２５０重量部含有することを特徴とする請求項１〜３のいずれかに記載の頭髪用酸性染毛料組成物。
【手続補正２】
【補正対象書類名】明細書
【補正対象項目名】０００８
【補正方法】変更
【補正の内容】
【０００８】
【発明の概要】本発明の頭髪用酸性染毛料組成物（以下、「本染毛料組成物」という）は、下記式（１）または下記式（１）′
【手続補正３】
【補正対象書類名】明細書
【補正対象項目名】０００９
【補正方法】変更
【補正の内容】
【０００９】
【化３】
2002226334.tif 000003
【手続補正４】
【補正対象書類名】明細書
【補正対象項目名】００１０
【補正方法】変更
【補正の内容】
【００１０】
（上記一般式（１）および（１）′中、Ｒ1〜Ｒ3は、同一であっても異なっていてもよく、水素原子、炭素数１〜２０の炭化水素基またはアルコキシ基のいずれかであり、Ｒ4は、水素イオン、1価の金属イオンまたはアンモニウムであり、ｎ、ｍは１０以上の整数である。）で表される共重合物を含有することを特徴としている。上記一般式（１）および（１）′中のｎ、ｍの範囲としては、たとえばｎが５０〜５０００の整数、ｍが１０〜５０００の整数となる範囲が挙げられる。
【手続補正５】
【補正対象書類名】明細書
【補正対象項目名】００１１
【補正方法】変更
【補正の内容】
【００１１】
上記共重合物は、一般式（２）または一般式（２）′
【手続補正６】
【補正対象書類名】明細書
【補正対象項目名】００１２
【補正方法】変更
【補正の内容】
【００１２】
【化４】
2002226334.tif 000004
【手続補正７】
【補正対象書類名】明細書
【補正対象項目名】００１３
【補正方法】変更
【補正の内容】
【００１３】
（上記一般式（２）および（２）′中、ｎは５０〜５０００、ｍは１０〜５０００の整数であり、NH4+の一部は水素イオンに置換されていてもよい。）で表される共重合物であることが好ましい。本染毛料組成物は、少なくとも上記一般式（１）または一般式（１）′、あるいは一般式（２）または一般式（２）′で表わされる共重合物の他、酸性染料、酸、浸透剤、水を含有するものであり、また必要に応じて安定剤を含有してもよい。
【手続補正８】
【補正対象書類名】明細書
【補正対象項目名】００１６
【補正方法】変更
【補正の内容】
【００１６】
【発明の具体的説明】以下、本染毛料組成物について具体的に説明する。本染毛料組成物は、下記一般式（１）または一般式（１）′
【手続補正９】
【補正対象書類名】明細書
【補正対象項目名】００１７
【補正方法】変更
【補正の内容】
【００１７】
【化５】
2002226334.tif 000005
【手続補正１０】
【補正対象書類名】明細書
【補正対象項目名】００２２
【補正方法】変更
【補正の内容】
【００２２】
からなる共重合物であり、このような共重合物（１）は、ランダム共重合体であっても、ブロック共重合体やグラフト重合体であってもよい。上記一般式（１）および（１）′中、Ｒ1およびＲ2は、同一であっても異なっていてもよく、水素原子、炭素数１〜２０、好ましくは炭素数１〜４、さらに好ましくは炭素数１〜２の炭化水素基またはアルコキシ基を示す。炭素数１〜２０の炭化水素基は、水素の一部または全部がハロゲン原子（例：塩素、臭素、ヨウ素）などの置換基で置換されていてもよく、また、環状あるいは直鎖状であってもよく、分岐していてもよく、さらに、不飽和結合を有していてもよい。
【手続補正１１】
【補正対象書類名】明細書
【補正対象項目名】００２５
【補正方法】変更
【補正の内容】
【００２５】
Ｒ4は、水素イオン、1価の金属イオンまたはアンモニウムを示す。一般式（１）および（１）′中の−SO3R4基は、−SO3H基を、アルカリにより中和、好ましくは部分中和したものであり、したがって、R4は、少なくとも一部が1価の金属イオンまたはアンモニウムであり、また少なくとも一部が水素イオンであることが好ましい。1価の金属イオンとしては、アルカリ金属イオンが挙げられる。このような金属イオンを形成する金属としては、具体的にはＮａ、Ｋなどのアルカリ金属等が挙げられる。
【手続補正１２】
【補正対象書類名】明細書
【補正対象項目名】００２７
【補正方法】変更
【補正の内容】
【００２７】
このような共重合物（１）のなかでも、特に、下記一般式（２）または一般式（２）′
【手続補正１３】
【補正対象書類名】明細書
【補正対象項目名】００２８
【補正方法】変更
【補正の内容】
【００２８】
【化８】
2002226334.tif 000006
【手続補正１４】
【補正対象書類名】明細書
【補正対象項目名】００３０
【補正方法】変更
【補正の内容】
【００３０】
共重合物（２）の粘度は、48,000〜80,000ｍPa・s程度であり、共重合物（２）を水に溶
解し、１％の水溶液としたときのｐＨは、約4.0〜6.0を示す。共重合物（２）は、ドイツ国クラリアント社により開発された増粘剤であって、市販品としては、たとえばＡｒｉs
ｔｏｆlｅｘＡＶＣ（商品名、ドイツ国クラリアント社製、上記式（２）′で表わされる
共重合物）として入手可能である。
【手続補正１５】
【補正対象書類名】明細書
【補正対象項目名】００４１
【補正方法】変更
【補正の内容】
【００４１】
また、上記の有機酸や無機酸のナトリウム、カリウム、アンモニウムなどの塩類を同時に配合することによって染毛料組成物に緩衝能をもたせることが可能である。このような緩衝能をもたせることにより、経時におけるｐＨ変化を少なくすることができ、このことは頭髪用染毛料組成物の安定化につながる。本染毛料組成物には、さらに、本発明の効果を損なわない範囲で、目的に応じて一般式（１）または一般式（１）′で表される共重合物以外の増粘剤、油性成分、高級アルコール、高級脂肪酸、エステル類、シリコーン類、カチオン性高分子化合物、界面活性剤、噴射剤、香料、防腐剤、紫外線吸収剤、酸化防止剤、殺菌剤および保湿剤などの公知の化粧品成分を適宜配合することができる。
【手続補正１６】
【補正対象書類名】明細書
【補正対象項目名】００４２
【補正方法】変更
【補正の内容】
【００４２】
以下、その例を挙げる。一般式（１）または一般式（１）′で表される共重合物以外の増粘剤としては、たとえば、アラビアゴム、カヤラガム、トラガカントガム、キャロブガム、クインスシード（マルメロ）、カゼイン、ゼラチン、ペクチン酸ナトリウム、カルボキシメチルセルロース、メチルセルロース、エチルセルロース、ヒドロキシエチルセルロース、ヒドロキシプロピルセルロース、ポリビニルアルコール、ポリビニルピロリドン、ポリアクリル酸ナトリウム、グアーガム、タマリンドガム、ジアルキルジメチルアンムニウム硫酸セルロース、キサンタンガム、デキストリン、ローストビーンガム、カラギーナン、珪酸アルミニウムマグネシウム、ベントナイト、カルボキシビニルポリマー、ポリアクリル酸アミドなどが挙げられる。これらの増粘剤は、一種または二種以上組合わせて用いることができる。